(57)【要約】      （修正有）【課題】スーツの収納が容易であり、製造及び輸送費用を低減可能なスーツ袋を提供すること。【解決手段】ハンガーに掛けたスーツ上下が収まる大きさの縦長の袋外地１０と、袋外地１０の縦方向の一端側の部分の上に重ねられ縫着されているカバー布２ａ、２ｂであって、袋外地１０の一端において袋外地１０と第一のカバー布２ａとで、また袋外地１０の他端において袋外地１０と第二のカバー布２ｂとで夫々形成されたハンガーフック挿し穴５ａ、５ｂとを備え、そして第一のカバー布２ａ、第二のカバー布２ｂ、又はこれら両方のカバー布はハンガーフック通し穴５ａ、５ｂとの間隔が袋外地１０の中央においてより近くなる凸曲形の差込口縁４ａ、４ｂを有する。【選択図】図１
2011037492.tif 000002
【特許請求の範囲】
【請求項１】
ハンガーにかけたスーツ上下を二つ折りの状態にて持ち運ぶためのスーツ袋において、ハンガーに掛けたスーツ上下が収まる大きさの縦長の袋外地と、該袋外地の縦方向の一端側の部分の上に重ねられたカバー布であって、袋外地の周縁とこれに対応するカバー布の部分とが縫着されてなる第一のカバー布と、該袋外地の前記一端側と反対の他端側の部分の上に重ねられたカバー布であって、袋外地の周縁とこれに対応するカバー布の部分とが縫着されてなる第二のカバー布と、前記袋外地の一端において袋外地と前記第一のカバー布とで、また前記袋外地の他端において袋外地と第二のカバー布とで夫々形成されたハンガーフック挿通口とを備え、そして前記第一のカバー布、前記第二のカバー布、又はこれら両方のカバー布は該ハンガーフック挿通口との間隔が袋外地の中央においてより近くなる凸曲形の差込口縁を有することを特徴とする、スーツ袋。
【請求項２】
前記第一のカバー布、前記第二のカバー布、又はこれら両方のカバー布は、前記差込口縁の左右両端側に、目隠し布を設けてなることを特徴とする、請求項１に記載のスーツ袋。
【発明の詳細な説明】
【技術分野】
【０００１】
本発明はスーツを収納し、そして携行することができるスーツ袋に関する。
【背景技術】
【０００２】
スーツをハンガーにかけたまま携行することができるスーツ収納袋は従来より利用されている。この種のスーツ袋は、例えば図５に示すように、略長楕円形の二枚重ねの樹脂製表生地２１ａ及び裏生地２１ｂからなり、それらの周縁は縫い糸３で縫合され、また表生地２１ａはスーツを出し入れ可能とするべく、長さ方向に二つに分かれ、その合わせ部に取り付けたファスナー２４又はスナップ等により開閉可能となっている。また、袋上下の両端側にハンガーフックを通す通し穴２３ａ及び２３ｂが設けられ、さらに袋の下部には覆いカバー２２が取り付けられている。而して、スーツをハンガーにかけ、それを袋内に収納し、ハンガーフックを袋上側の通し穴２３ａに通し、スーツが収納された袋を横二つ折りにし、続いて、袋上部をカバー布２２で被せるとともに、ハンガーフックを袋下側の通し穴２３ｂに通すことにより、スーツをハンガーにかけたまま持ち運ぶことが可能となる（特許文献１参照）。
【先行技術文献】
【特許文献】
【０００３】
特開２００１−６３７８５号公報
【発明の概要】
【発明が解決しようとする課題】
【０００４】
しかしながら、従来のスーツ袋を用いてスーツを包装するには、上記した通り多くの手順を要し、作業が面倒であり、またカバー布の差込口縁とハンガーフック通し穴との間に距離があるためにハンガーフックを通しづらく、包装作業に時間がかかるという問題があった。
【０００５】
また、従来のスーツ袋は、スーツ全体を包装するため、生地の量が多く、生地の費用が高く、またファスナー、スナップ又はテープ等開閉機構の費用もかかり、更にスーツ袋への開閉機構の取り付け等、加工費用も高いものであった。場合により包装されたスーツの種類を容易に確認できるようにするための窓２５（図５）を取り付ける必要もあった。また、従来のスーツ袋は、開閉機構があることで袋自体の嵩高で、輸送費用も高い。
本発明はこのような従来の事情を鑑みてなされたものであって、スーツの包装が容易であり、かつ製造及び輸送費用を低減することが可能なスーツ袋を提供することを課題とする。
【課題を解決するための手段】
【０００６】
本発明は、この課題を解決するべくなされたものであって、ハンガーにかけたスーツ上下を二つ折りの状態にて持ち運ぶためのスーツ袋において、ハンガーに掛けたスーツ上下が収まる大きさの縦長の袋外地と、該袋外地の縦方向の一端側の部分の上に重ねられたカバー布であって、袋外地の周縁とこれに対応するカバー布の部分とが縫着されてなる第一のカバー布と、該袋外地の前記一端側と反対の他端側の部分の上に重ねられたカバー布であって、袋外地の周縁とこれに対応するカバー布の部分とが縫着されてなる第二のカバー布と、前記袋外地の一端において袋外地と前記第一のカバー布とで、また、前記袋外地の他端において袋外地と第二のカバー布とで、夫々形成されたハンガーフック通し穴とを備え、そして前記第一のカバー布、前記第二のカバー布、又はこれら両方のカバー布は該ハンガーフック通し穴との間隔が袋外地の中央においてより近くなる凸曲形の差込口縁を有
することを特徴とする、スーツ袋に関する。
すなわち、本発明のスーツ袋は、袋内側の表生地として、スーツ全体をほぼ覆いかつ中身を確認するための、透明シート若しくは窓付きシートが設けられていない点を一つの特徴とするものである。
また、本発明の好ましい態様は、上記のスーツ袋において、前記第一のカバー布、前記第二のカバー布、又はこれら両方のカバー布は、前記差込口縁の左右両端側に、目隠し布を付設してなる、スーツ袋に関する。
【発明の効果】
【０００７】
本発明のスーツ袋では、スーツの包装が容易であり、また、製造及び輸送費用も低減できる。
【図面の簡単な説明】
【０００８】
【図１】本発明の実施例１のスーツ袋を示す正面図である。
【図２】図２Ａないし図２Ｅは、ハンガーに掛けたスーツ上下を実施例１のスーツ袋に包装する一連の過程を示す図である。
【図３】本発明の実施例２のスーツ袋を示す正面図である。
【図４】スーツを実施例２のスーツ袋に包装した状態を示す図である。
【図５】従来のスーツ袋を示す正面図である。
【発明を実施するための形態】
【０００９】
以下、図面を参照しながら本発明をさらに説明する。本発明のスーツ袋１は、ハンガーにかけたスーツ上下を二つ折りの状態にて持ち運ぶためのスーツ袋であって、ハンガーに掛けたスーツ上下が収まる大きさの縦長の袋外地１０と、該袋外地の縦方向の一端側の部分の上に重ねられたカバー布であって、袋外地の周縁とこれに対応するカバー布の部分とが縫着されてなる第一のカバー布２ａと、該袋外地の前記一端側と反対の他端側の部分の上に重ねられたカバー布であって、袋外地の周縁とこれに対応するカバー布の部分とが縫着されてなる第二のカバー布２ｂから成る。図１中、３は縫着された縫い目を示す。
【００１０】
袋外地１０、第一のカバー布２ａ及び第二のカバー布２ｂの材質に特に制限はなく、ポリエチレン又はポリプロピレンなどの合成樹脂シート又はそれらの不織布などであってよい。
【００１１】
またスーツ袋１は、袋外地１０の一端において袋外地１０と第一のカバー布２ａとで、また袋外地１０の他端において袋外地１０と第二のカバー布２ｂとで夫々形成されたハンガーフック通し穴５ａ及び５ｂとを備えている。
【００１２】
本発明にあっては、第一のカバー布２ａ、第二のカバー布２ｂ、又はこれら両方のカバー布は、ハンガーフック通し穴５ａ及び５ｂとの間隔が袋外地の中央においてより近くなる凸曲形の差込口縁を有する。従来のカバー布は、一般に、袋外地の長さ方向と直行する方向に延びる直線形の差込口縁を有するものであった。これに対し、本発明のスーツ袋は凸曲形の差込口縁（図１中４ｂ）を有するカバー布を少なくとも１つ備える。ここでの凸曲形とは袋外地の中心より見て凸形の曲線を有する形状を言う。
凸曲形の差込口縁は１つの曲線で形成されたものに限らず、複数の曲線が連なってできた山型状、又は波型状などの差込口縁であっても良い。
凸曲形の差込口縁４ｂは袋外地と縫着されるカバー布２ａ周縁と同様の湾曲形状にすると、カバー布２ａとカバー布２ｂは一枚の布より無駄無く裁断することができ、従って生地の使用量を節減できる。
【００１３】
次に、本発明のスーツ袋の使用法を図２Ａないし図２Ｅを参照して説明する。まず、ス
ーツ上下７をハンガー８に吊るす。次に、矢印３１に示す方向に従い、ハンガーフック９及びスーツ上部を差込口縁４ａからカバー布２ａと袋外地との間に差し入れ、ハンガーフック９をハンガーフック通し穴５ａに通す。
次に、スーツ上下７の下部を差込口縁４ｂから、カバー布２ｂと袋外地との間に差し入れ、矢印３２で示す向きでスーツを横二つ折りにする。
そして、矢印３３に示す方向に従い、ハンガーフック９及びカバー布２ａに覆われたスーツ上部を差込口縁４ｂからカバー布２ｂと袋外地との間に差し入れる。
最後にハンガーフック９をハンガーフック通し穴５ｂに通すことで二つ折りの、持ち運び可能な形態となる。
【００１４】
差込口縁がハンガーフック通し穴との間隔が袋外地の中央においてより近くなる凸曲形のものであることで、ハンガーフックをハンガーフック通し穴に通しやすくなる効果が得られる。
【００１５】
本発明のスーツ袋は、袋内側に、スーツ全体をほぼ覆いかつ中身を確認するための、透明シート若しくは窓付きシートが設けられていない。このため透明シート若しくは窓付きシート内にスーツを入れる作業が不要となり、スーツの包装の手順を少なくすることができる。
また、従来のスーツ袋とは異なり、ファスナー等を取り付ける必要が無く、従って、生地等の材料及び部品点数が少なく、嵩も小さいため、製造及び輸送費用を低減することができる。
【００１６】
さらに、本発明のスーツ袋は、第一のカバー布、第二のカバー布、又はこれら両方のカバー布がなす差込口縁の左右両端側には、目隠し布を付設していても良い。この目隠し布は、スーツ袋を二つ折りにしたときに、スーツ袋の側面を覆うため、外部から袋の中身を見えづらくし、また外部からの汚染を防ぐ効果がある。
【００１７】
本発明のスーツ袋は、スーツの包装のみに限定されず、ジャケット、シャツ、制服、又はコートなどの衣類の包装に適用できる。
【実施例】
【００１８】
本発明を実施例を挙げて具体的に説明する。以下の実施例はいかなる場合も本発明を限定するものと解釈してはならない。
実施例１：
（スーツ袋の構成）
図１は、本発明の一態様であるスーツ袋１の正面図である。
スーツ袋１の材質は、ポリプロピレンから成る不織布である。
袋外地１０はハンガーに掛けたスーツ上下が収まる大きさ（長さ方向およそ９０ｃｍ；幅方向およそ６０ｃｍ）の縦長の生地である。
第一のカバー布２ａは、袋外地１０の縦方向の一端側の部分の上に重ねられたカバー布であって、袋外地の周縁とこれに対応するカバー布の部分とが縫着されている。
第二のカバー布２ｂは袋外地１０の第一のカバー布２ａと反対の他端側の部分の上に重ねられたカバー布であって、袋外地の周縁とこれに対応するカバー布の部分とが縫着されている。
またハンガーフック通し穴５ａ及び５ｂは、袋外地１０の一端において袋外地１０と第一のカバー布２ａとで、また袋外地１０の他端において袋外地１０と第二のカバー布２ｂとで夫々形成されている。
第一のカバー布２ａの差込口縁４ａは、袋外地の長さ方向と直行する方向に延びる直線形の周縁とし、第二のカバー布２ｂの差込口縁４ｂは、ハンガーフック通し穴５ａとの間隔が袋外地の中央においてより近くなる凸曲形の周縁とし、この凸曲形は１つの曲線から
なっている。
差込口縁４ｂの中点とハンガーフック通し穴５ｂとの間隔は約１８ｃｍであり、従来のスーツ袋のように、差込口縁４ｂを袋外地の長さ方向と直行する方向に延びる直線形のものとした場合に比べ約４０％短くなっている。
（スーツの収納）
図２Ａないし図２Ｅに、ハンガーに掛けたスーツ上下を実施例１のスーツ袋に包装する一連の過程を示す。
まず、スーツ上下７をハンガー８に吊るす。次に、ハンガーフック９及びスーツ上部を差込口縁４ａからカバー布２ａと袋外地との間に差し入れ（図２Ａ）、ハンガーフック９をハンガーフック通し穴５ａに通した。
次に、スーツ上下７の下部を差込口縁４ｂから、カバー布２ｂと袋外地との間に差し入れ（図２Ｂ）、スーツを横二つ折りにした（図２Ｃ）。
そして、ハンガーフック９及びカバー布２ａに覆われたスーツ上部を差込口縁４ｂからカバー布２ｂと袋外地との間に差し入れた（図２Ｄ）。
最後にハンガーフック９をハンガーフック通し穴５ｂに通すことで二つ折りの、持ち運び可能な形態となった（図２Ｅ）。
【００１９】
差込口縁４ｂがハンガーフック通し穴５ｂとの間隔が袋外地の中央においてより近くなる凸曲形のものであることで、ハンガーフック９をハンガーフック通し穴５ｂに通しやすく、作業を容易に行える。
また実施例１のスーツ袋は、袋内側に、スーツ全体をほぼ覆いかつ中身を確認するための、透明シート若しくは窓付きシートが設けられていない。このため透明シート若しくは窓付きシート内にスーツを入れる作業が不要となり、スーツの包装の手順を少なくすることができる。
また、従来のスーツ袋とは異なり、ファスナー等を取り付ける必要が無く、従って、生地等の材料及び部品点数が少なく、嵩も小さいため、製造及び輸送費用を低減することができる。
【００２０】
実施例２：
（スーツ袋の構成）
スーツ袋１の第二のカバー布２ｂがなす差込口縁４ｂの左右両端側に目隠し布６ａ及び６ｂを設けた他は実施例１と同様の構成とした（図３）。
（スーツの収納）
実施例１と同様の手順でスーツ７を実施例２のスーツ袋に収納することができる（図４）。
【００２１】
実施例２のスーツ袋は、実施例１のスーツ袋に目隠し布６ａ及び６ｂを設けただけであるので、実施例１と同様に、包装作業を容易に行え、そしてスーツの包装の手順を少なくすることができる。また製造及び輸送費用も低減できる。
更に目隠し布６ａ及び６ｂによって、二つ折り状態のスーツ袋側面から、スーツが見えることを防ぎ、外部からの汚染から保護することができる。
【符号の説明】
【００２２】
１                  スーツ袋
２ａ、２ｂ          カバー布
３                  縫い糸
４ａ、４ｂ          差込口縁
５ａ、５ｂ          ハンガーフック通し穴
６ａ、６ｂ          目隠し布
７                  スーツ上下
８                  ハンガー
９                  フック部
１０                袋外地
【図１】
2011037492.tif 000003
【図２】
2011037492.tif 000004
【図３】
2011037492.tif 000005
【図４】
2011037492.tif 000006
【図５】
2011037492.tif 000007